(57)【要約】  携帯移動端末１００は、ねじれに強い筐体構造を容易にする少なくとも１つのトルクセルを備えている。このトルクセルは、第１の筐体１１０の周辺部の周りに配置された複数の第１の係止部材１５０と、第２の筐体１２０の周辺部の周りに配置された複数の第２の係止部材１４０とを備えている。第１及び第２の係止部材１５０，１４０は、互いに摺動可能に係合可能であり、それによってトルクセルの周辺部の周りに複数の係合接合部１３０が構成される。したがって、このトルクセル構造は、より優れたねじれ剛性、組立ての簡略化、容積効率の改善、衝撃吸収材料の必要の低減、全体の軽量化、衝撃負荷の分散（ｄｅｃｏｕｐｌｅ）、及び応力集中の軽減など、従来の移動端末筐体に優るいくつかの利点を提供する。
2007504681.tif 000002
【特許請求の範囲】
【請求項１】
上側筐体と、
複数の係合接合部によって前記上側筐体に摺動可能に係合する下側筐体と
を備え、ねじれ剛性構造を構成したことを特徴とする携帯移動端末筐体。
【請求項２】
前記上側筐体と前記下側筐体は、ボス及び締結金具を用いずに構造的に一体に結合されていることを特徴とする請求項１に記載の携帯移動端末筐体。
【請求項３】
前記係合接合部は、前記上側筐体に配置された第１の係止部材と、前記下側筐体に配置された第２の係止部材とを備えていることを特徴とする請求項１に記載の携帯移動端末。
【請求項４】
前記第１及び第２の係止部材の少なくとも一方はＬ形部材であることを特徴とする請求項３に記載の携帯移動端末筐体。
【請求項５】
前記複数の係合接合部は、前記携帯移動端末筐体の周辺部分の周りに配置されていることを特徴とする請求項１に記載の携帯移動端末筐体。
【請求項６】
前記複数の係合接合部は、前記周辺部分に沿って負荷分散路が形成されるように前記携帯移動端末筐体の前記周辺部分の周りに分散されていることを特徴とする請求項５に記載の携帯移動端末筐体。
【請求項７】
請求項１に記載の前記携帯移動端末筐体を用いたことを特徴とする個人用携帯情報端末（ＰＤＡ）。
【請求項８】
請求項１に記載の前記携帯移動端末筐体を用いたことを特徴とする携帯電話。
【請求項９】
請求項１に記載の前記携帯移動端末筐体を用いたことを特徴とするコンピュータゲーム機。
【請求項１０】
請求項１に記載の前記携帯移動端末筐体を用いたことを特徴とするバーコード走査器又は撮像装置。
【請求項１１】
第１のトルクセル部分を有するベース筐体と、
前記第１のトルクセル部分と摺動可能に係合可能である第２のトルクセル部分を有するリアカバーとを備えていることを特徴とする携帯移動端末筐体。
【請求項１２】
前記第１のトルクセル部分は複数の第１の係止部材を備え、前記第２のトルクセル部分は前記第１の係止部材と摺動可能に係合する複数の第２の係止部材を備え、複数の係合接合部が構成されていることを特徴とする請求項１１に記載の携帯移動端末筐体。
【請求項１３】
前記第１の係止部材は、前記第１のトルクセル部分の周辺部分の周りにほぼ均等に分散され、前記第２の係止部材は、前記第２のトルクセル部分の周辺部分の周りにほぼ均等に分散されていることを特徴とする請求項１２に記載の携帯移動端末筐体。
【請求項１４】
モジュール式キーパッドをさらに備えていることを特徴とする請求項１１に記載の携帯移動端末筐体。
【請求項１５】
前記モジュール式キーパッドは、複数の係合接合部によって前記ベース筐体に結合されていることを特徴とする請求項１４に記載の携帯移動端末筐体。
【請求項１６】
金属から作製されていることを特徴とする請求項１１に記載の携帯移動端末筐体。
【請求項１７】
プラスチックから作製されていることを特徴とする請求項１１に記載の携帯移動端末筐体。
【請求項１８】
複数の第１の係止部材が周辺部の周りに配置されているベース部分と、
複数の第２の係止部材が周辺部の周りに配置されているモジュール式キーパッドと
を備えていることを特徴とする携帯移動端末筐体。
【請求項１９】
前記第１の係止部材と前記第２の係止部材は、互いに摺動可能に係合可能であることを特徴とする請求項１８に記載の携帯移動端末筐体。
【請求項２０】
前記ベース部分は複数の第３の係止部材を備えて、前記ベース部分をハンドル部分にある第４の係止部材に結合させて銃形の携帯移動端末を構成するか、あるいは前記ベース部分をリアカバーにある第５の係止部材に結合させて棒形の携帯移動端末を構成することを特徴とする請求項１８に記載の携帯移動端末筐体。
【請求項２１】
前記第１及び第２の係止部材によって、前記ベース部分と前記モジュール式キーパッドの間にねじれ剛性結合部が構成されていることを特徴とする請求項１８に記載の携帯移動端末筐体。
【請求項２２】
第１の係合手段を有する上側筐体と、
第２の係合手段を有する下側筐体と
を備えていることを特徴とする携帯移動端末筐体。
【発明の詳細な説明】
【技術分野】
【０００１】
本発明は、一般に携帯用電子デバイスに関し、より詳細には、携帯移動端末用の堅牢な筐体（ｈｏｕｓｉｎｇ）設計のためのシステム及び方法に関する。なお、本出願は、２００３年５月１３日出願の米国特許仮出願第６０／４７０，００８号、名称「TORQUE CELL」、及び２００３年６月１７日出願の米国特許出願第１０／４６３，２５８号、名称「Torque Cell」の特典を主張するものである。
【背景技術】
【０００２】
携帯移動端末が、個人ツール及びビジネス組織ツールとして広く受け入れられるようになってきている。多くの利用者が携帯移動端末を日常的に持ち歩いている。したがって、携帯移動端末用の筐体にはいくつかの基準を満たすことが求められる。携帯移動端末用筐体は魅力的な外観であるべきである。さらに、筐体は、落とされたときに内部の電子部品が損傷しないように保護できるほど堅牢であるべきである。携帯移動端末がますます高性能化（ｐｏｗｅｒｆｕｌ）されるにつれて、筐体強度に対する要望は、筐体が占有する容積を最小限に抑えたいという要望と相反することになり、したがって、電子部品を実装するのに利用できなくなる。さらに、筐体を一体に保持するために使用するどんな機構も、その占有容積を少しでも最小にし、かつ筐体の各部分が分離するのを防止する安全なラッチシステム（ｌａｔｃｈｉｎｇ  ｓｙｓｔｅｍ）を提供すべきである。
【０００３】
携帯移動端末は、一般に、中央演算処理装置（ＣＰＵ）ボード、表示装置、キーボード及び内部配線などの内部電気構成部品を、プラスチック製又は他の構造材料製の筐体内に格納することによって組み立てられる。この格納体（ｅｎｃｌｏｓｕｒｅ）は、通常、上側筐体と下側筐体の２つの部分から形成される。電子構成部品は、サブフレームの有無にかかわらず、筐体の一方側又は両側に装着される。表示装置及びときにはバッテリもこの格納体内に配置される。これらの表示装置及びバッテリは質量が大きく、落下時にＣＰＵボードに望ましくない衝撃負荷を与えてしまう可能性がある。
【０００４】
図１１は、従来の携帯移動端末筐体を示す図である。この携帯移動端末筐体１１００は、２つの半体（ｈａｌｆ）１１１０及び１１２０を備えている。これら２つの半体１１１０及び１１２０は、電子部品（図示せず）を収容するように一体に締結されている。筐体１１００にはボス１１３０が複数含まれており、そのため締結金具１１４０が筐体１１００の両側を貫通できるように構成されている。締結金具又はねじ１１４０は、筐体１１００の一方の半体にあるボス１１３０から筐体の他方の半体へと貫通して挿入され、それによってアセンブリを一体に保持するのに必要な閉止力（ｃｌｏｓｉｎｇ  ｆｏｒｃｅ）が得られることになる。これらの機構（ｆｅａｔｕｒｅ）は、通常なら電気構成部品が占めるであろう容積を占めることになる。したがって、ボス１１３０があるために筐体１１００の容積効率が低下することになる。
【０００５】
さらに、構成部品を筐体１１００内に組み込むには、いくつかの製造工程が必要となる。筐体１１００を一体に締結する前に、ＣＰＵボード、表示装置及び他の構成部品をサブフレーム、筐体、又は他の何らかのサブアセンブリに組み立てなければならない。かかる組立てステップは、一般に時間がかかり製造コストが高くつく。
【０００６】
さらに、従来の筐体アセンブリは、対合部一帯で筐体表面が不連続となっているため、ねじれ剛性（ｔｏｒｓｉｏｎａｌ  ｒｉｇｉｄｉｔｙ）が弱い。したがって、落下時の反りや衝撃負荷から生じる応力がボス１１３０の所に集中することになる。筐体の破損は、反りや衝撃負荷の応力によって生じるボスの破損が原因となることがしばしばある。
【発明の開示】
【発明が解決しようとする課題】
【０００７】
本発明のいくつかの態様の基本的な理解が得られるように本発明を簡略にした開示を以下に示す。この開示は、本発明の包括的な概要ではない。この開示は、本発明の鍵となる要素、又は重大な要素を特定するものでも、本発明の技術的範囲を詳細に説明するものでもない。その唯一の目的は、後述するより詳細な説明の序文として、本発明のいくつかの概念を簡略化した形で示すものである。
【０００８】
本発明は、このような問題に鑑みてなされたもので、その目的とするところは、堅牢な携帯移動端末筐体を提供することにある。
【課題を解決するための手段】
【０００９】
本発明の携帯移動端末筐体は、ねじれに強い筐体構造を容易にする少なくとも１つのトルクセルを備えている。また、この移動端末設計は、トルクセルの一部分を有するベース筐体と、このトルクセルの対合部分（ｍａｔｉｎｇ  ｐｏｒｔｉｏｎ）を有するリアカバーを備えている。このトルクセルは、ベース筐体のトルクセル部分の周辺部の周りに配置された複数の第１の係止部材（ｌｏｃｋｉｎｇ  ｍｅｍｂｅｒ）と、リアカバーのトルクセル部分の周辺部の周りに配置された複数の第２の係止部材とを備えている。第１の係止部材と第２の係止部材は、互いに摺動可能に係合可能であり、それによってトルクセルの周辺部の周りに複数の係合接合部（ｉｎｔｅｒｌｏｃｋｉｎｇ  ｊｏｉｎｔ）が構成されている。したがって、ボス及び／又は締結金具（ｆａｓｔｅｎｉｎｇ  ｈａｒｄｗａｒｅ）の必要が軽減される。あるいは、複数の第２の係止部材を有するハンドル部分をベース筐体に結合して銃形の携帯移動端末を作製することもできる。この携帯移動端末構造には、モジュール式キーパッドを端末に結合させるための第２のトルクセルを含めることもできる。本発明のトルクセル構造は、より優れたねじれ剛性、組立ての簡略化、容積効率の改善、全体の軽量化、応力集中の軽減、及び耐水性移動端末用の水密ガスケット（ｓｅａｌｉｎｇ  ｇａｓｋｅｔ）の均一な加圧など、従来の携帯移動端末筐体に優るいくつかの利点を提供する。
【００１０】
前述及び関連する目的を達成するために、本発明はさらに、以下で完全に説明するとともに特に特許請求の範囲において示す特徴を含んでいる。以下の説明及び添付の図面は、本発明の特定の例示的実施態様を詳細に記載するものである。ただし、これらの実施態様は、本発明の原理を利用できる多様な実施形態のほんの少数を示すものであり、本発明はかかる実施態様及びそれらの均等物のすべてを含むものである。本発明のその他の目的、利点、及び新規な特徴は、以下の本発明の詳細な説明を図面と併せ考慮すれば明らかとなろう。
【発明を実施するための最良の形態】
【００１１】
本発明は、堅牢な携帯移動端末筐体に関する。ここで、図面を参照しながら本発明を説明する。図面を通して、同じ要素には同じ参照符号を使用する。それぞれの図面は、図面ごとに同じ縮尺で描かれているものではなく、また、所与の図においても縮尺通りには描かれておらず、特に、各構成部品の寸法は、図面を見やすくするために任意に描かれていることを理解されたい。以下の説明では、本発明の完全な理解が得られるように数多くの具体的な詳細を説明の目的で記載している。しかし、本発明は、これらの具体的な詳細なしでも実施できることは明白であろう。他の例では、本発明を説明しやすいように周知の構造及びデバイスをブロック図の形で示している。
【００１２】
以下、図面を参照して本発明の実施形態について説明する。  
図１は、本発明のトルクセル構造を有する携帯移動端末筐体の一実施態様を示す断面図である。この図１を参照すると、携帯移動端末筐体用のトルクセル構造１００の例が示されている。この携帯移動端末筐体は、上側筐体１１０及び下側筐体１２０を備え、これらは移動端末の周辺部分の周りに配置された係合接合部１３０によって結合されている。この係合接合部１３０は、上側筐体１１０から第１の係止部材を、下側筐体１２０から第２の係止部材をそれぞれ備えている。例えば、下側筐体１２０はＬ形部材１４０を備え、上側筐体１１０は、Ｌ形部材１４０を摺動可能に受けるとともに係合するように構成された受け部材１５０を備えている。しかし、他の適当などんな係止部材でも使用でき、それらは本発明の技術的範囲に含まれることが企図されることを理解されたい。以下により詳細に説明するように、係合接合部１３０は、負荷分散路が形成されるように周辺部の周りに配置されるため、筐体上で負荷が集中することはない。したがって、筐体の周辺部封止部に対する締付けはほぼ均一になる。さらに、トルクセル（ｔｏｒｑｕｅ  ｃｅｌｌ）構造１００を用いた移動端末筐体は、ボス及び／又は締結金具を用いた従来の筐体に比べて、構造的にねじれや曲がりの点で剛性となる。
【００１３】
図２は、本発明のトルクセル構造を有する携帯移動端末筐体の一実施態様を示す斜視図である。携帯移動端末２００は、手のひらに載る（「手のひらサイズの」）携帯用コンピュータシステム、携帯電話、全地球測位システム（ＧＰＳ）、バーコードスキャナなどとすることができる。携帯移動端末２００は、ほぼ対向する２つの長く広い上側面、ほぼ対向する２つの長く浅い側面、後端部及び前端部を有するほぼ棒形の細長い筐体を備えている。この筐体は、金属、プラスチック、又は他の適当などんな構造材料からも作製することができる。筐体内には少なくとも１つのトルクセルが設けられる。例えば、携帯移動端末２００用の表示装置（図示せず）を収容するために、筐体の後部上面部分に第１のトルクセル２１０を配置することができる。表示装置は、携帯移動端末２００の動作モードに関する情報、又は携帯移動端末２００内に配置された光学式走査器（図示せず）が読み取っている物品に関する確認情報を表示することができる。この表示装置は、タッチスクリーンとすることができ、静電容量式、抵抗タッチ式、赤外線式、表面弾性波式、又は地表弾性波式（ｇｒｏｕｎｄｅｄ  ａｃｏｕｓｔｉｃ  ｗａｖｅ）の技術を使用することができる。さらに、表示装置は、液晶デバイス、陰極線管（ＣＲＴ）、電界放出デバイス（ＦＥＤ、平板パネルＣＲＴとも呼ばれる）、又は利用者に認識可能なグラフィック像及び英数字文字を生成するのに適した他のどんな表示装置でも可能である。
【００１４】
第１のトルクセル２１０は、第１のトルクセル２１０の周辺部の周りに配置された複数の係合接合部を備えている。第１のトルクセル２１０は、２つの筐体部分、すなわち、ベース筐体２２０とリアカバー（図示せず）を備えている。ベース筐体２２０は、第１のトルクセル２１０の対向する２つの側面の周辺部に沿って配置された複数の第１の係止部材２３０を備えている。リアカバー部分は、複数の対応する第２の係止部材を備え、これらは、以下に詳細に説明するように、ベース筐体２２０上に配置された第１の係止部材２３０と摺動可能に係合するように適合されている。ベース筐体２２０とリアカバーの間の係合接合部によって、携帯移動端末２００がひねられ、かつ／又は落とされても破損しないようにねじれ剛性構造が容易になる。例えば、携帯移動端末２００は、約６フィート（約１８２．８８ｃｍ）の高さから繰り返し落下させても破損することはない。さらに、係合接合部は、筐体の周辺部に沿って負荷が分散されるようにトルクセル２１０の周辺部分の周りにほぼ均等に分散されている。したがって、外部からの負荷は、不連続部や応力集中部のない筐体によって受けられることになる。したがって、携帯移動端末２００の構造は、図１１を参照して説明した従来の携帯移動端末筐体よりも剛性となる。
【００１５】
さらに、第１のガスケット（図示せず）を表示装置の開口及び／又は表示装置自体の周辺部の周りに設けるとともに、第２のガスケット（図示せず）をトルクセル２１０の周辺部の周りに設けることができる。第１及び第２のガスケットは、汚染を軽減するように動作可能である。これらガスケットがない場合には、外部から携帯移動端末アセンブリ内に異物が入り込み、それによって携帯移動端末２００の性能に悪影響が及びかねない。トルクセル２１０の周辺部の周りに複数の係合構成部品を設けることによって、ガスケットに対する締付けがトルクセル２１０の周りでほぼ均一になる。このガスケットは、ゴム、発泡体、又は携帯移動端末２００のアセンブリを十分に封止するように動作可能な他のどんなエラストマー材でも可能である。
【００１６】
第２のトルクセル２４０を携帯移動端末２００の前方底面部分に配置することができる。第２のトルクセル２４０を使用して、モジュール式キーパッドを携帯移動端末に結合させることができる。モジュール式キーパッドを用いると、製造サービス、マーケティング自由度、拡張アクセサリの使用（ｅｘｐａｎｓｉｏｎ  ａｎｄ  ａｃｃｅｓｓｏｒｙ）、及び顧客別再構成が容易になる。
【００１７】
図３乃至図６は、本発明に係るモジュール式キーパッドの一実施態様を示す図で、携帯移動端末に使用できるモジュール式キーパッドの例を示している。選択されたキーパッドを使用して、利用者に関する識別情報を移動端末内に入力することができる。さらに、キーパッドを使用して移動端末の動作モードに関する情報を入力することができ、又は端末によって提供された情報の取消しや、その情報に対する操作オペレーションを実行することができる。
【００１８】
図７は、図２に示した本発明の携帯移動端末筐体の一実施態様を示す側面斜視図である。図２の携帯移動端末用の第２のトルクセル２４０がより分かりやすく示されている。第２のトルクセル２４０は、ベース筐体２２０及びモジュール式キーパッド２５０を備えている。モジュール式キーパッド２５０をベース筐体２２０に結合させる際、キーパッド側の複数のＬ形部材又はラッチ２６０をベース筐体２２０側の複数の対応するラッチ受け部材２７０と位置合わせする。モジュール式キーパッド２５０は、摺動可能に移動してベース筐体２２０と係合するようになり、それによって第２のトルクセル２４０の周辺部分の周りに複数の係合接合部が形成される。これらの係合接合部は、周辺部の周りで負荷が分散されるように、第２のトルクセル２４０の周辺部の周りにほぼ均等に分散することができる。したがって、モジュール式キーパッド２５０とベース筐体２２０の間の複数の係合接合部によってねじれ剛性構造が容易になるので、衝撃を受けた際に携帯移動端末筐体が分離する可能性が大幅に低減する。モジュール式キーパッド２５０は、キーパッドラッチ２６０と、それらと対合している筐体ラッチ２７０とを摺動可能に係脱させることによって、携帯移動端末２００から取り外すことができる。
【００１９】
携帯移動端末２００は、また、携帯移動端末２００に電力を供給するバッテリを受けるための開放端２８０をベース筐体２２０に備えている。開放端２８０は、筐体の底面部分に位置するものとして示してあるが、開放端２８０は、携帯移動端末２００の他の適当などんな部分にも配置することができることを理解されたい。また、情報を携帯移動端末２００にアップロードし、かつ／又は携帯移動端末２００からダウンロードするための音響モデムを設けることもできる。さらに、携帯移動端末２００には、情報を転送するための通信インターフェースを含めることもできる。例えば、この通信インターフェースは、直列通信ポート及び／又は、例えば、並列通信、ＳＣＳＩ、ファイヤワイヤ（Ｆｉｒｅｗｉｒｅ）（ＩＥＥＥ  １３９４）、イーサネット（登録商標）（Ｅｔｈｅｒｎｅｔ（登録商標））など、他の適当などんな通信規格及び／又はプロトコルでも可能である。さらに、遠隔受信機に情報を送信する無線送信機及び／又は遠隔送信機から情報を受信する無線受信機を設けることもできる。
【００２０】
図８は、本発明のトルクセルを有する携帯移動端末筐体の他の実施態様を示す斜視図である。この携帯移動端末は、ハンドル部分８０５及びベース部分８１０を有する銃形の光学式読取り装置８００とすることができる。ハンドル部分８０５及びベース部分８１０は、金属、プラスチック、又は他の適当などんな構造材料からも作製することができる。携帯移動端末８００は少なくとも１つのトルクセルを備え、これによって機械効率が改善されるとともに携帯移動端末８００の組立て時間が短縮される。この１つ（又は複数）のトルクセルは複数の係合接合部を備えているので、本発明の携帯移動端末８００では、従来の筐体に必要なボス及び／又は固定金具が不要となる。したがって、外部からの負荷は、不連続部又は応力集中部のない１つ（又は複数）のトルクセルによって受けられることになる。したがって、携帯移動端末８００の構造は、従来の構造よりも剛性となる。
【００２１】
ハンドル部分８０５とベース部分８１０の間に第１のトルクセル８１５を構成することができる。ハンドル部分８０５は、トルクセル８１５の周辺部の対向する２つの側面に沿って配置された複数の第１の係止部材を備えている。同様に、ベース部分８１０は、トルクセル８１５の周辺部の対向する２つの側面に沿って配置された複数の第２の係止部材を備えている。第１の係止部材と第２の係止部材は、互いに摺動可能に係合可能であり、その結果、ベース部分８１０とハンドル部分８０５の間にねじれ剛性結合部が構成される。携帯移動端末８００は、また、モジュール式キーパッド（図示せず）をベース部分８１０に結合させる第２のトルクセル８２０も備えている。このモジュール式キーパッドは、本明細書において図７を参照して説明したのと同様にしてベース部分８１０に結合させることができる。したがって、かかる説明は簡潔にするために省略する。
【００２２】
光線が通過する読取り窓８２５が一般にベース部分８１０の端面に配置されており、利用者は、ハンドル部分８０５を把持し、読取り装置８００を読み取るべき印（ｉｎｄｉｃｉａ）に向ける。ハンドル部分８０５とベース部分８１０の間の接合部領域に引金８３０を設けることができ、利用者はそれを用いて光学式読取り装置８００を作動させるように操作することができる。引金８３０は、周知のどんな構成でも可能である。例えば、引金８３０はばね式とすることができ、読取り装置８００を作動させるために引金８３０を引くと接触して筐体内で回路を形成する接点を有することができる。読取り装置８００は、引金８３０が引かれると作動することになり、したがって、読み取るべき印がないときには読取り装置８００をアイドリング状態にしておくことが可能となるので、かかる構成では電力を節約することができる。
【００２３】
上述した構造的特徴及び機能的特徴から、本発明の様々な実施態様による方法が図９及び図１０を参照するとよりよく理解されよう。
【００２４】
図９は、本発明の携帯移動端末筐体の製造方法の一実施態様を示す図で、図１０は、本発明の携帯移動端末筐体の組立て方法の一実施態様を示す図である。説明を簡単にするために、図９及び図１０に示した方法は、順次実施するものとして示し説明するが、本発明によれば、いくつかの実施態様は様々な異なる順序で行うこともでき、かつ／又は、本明細書にて示すとともに説明した他の実施態様と並行して行うこともできるので、本発明は例示の順序に限定されるものではないことを理解し認識されたい。さらに、例示したすべての特徴が、本発明の一実施態様による方法を実施するのに必要であるというわけではない。
【００２５】
図９には、携帯移動端末筐体の製造方法９００が示されている。この製造方法は、プラスチック及び／又は金属など、任意の適当な構造材料からベース筐体を作製する９１０から始まる。ベース筐体は、その内部に配置された第１のトルクセル部分及び第２のトルクセル部分を備えている。９２０で、第１のトルクセル部分に対応する第３のトルクセル部分を備えるリアカバーを作製する。これらのトルクセルは、ベース筐体とリアカバーの間のねじれ剛性結合を容易にする複数の係合構造を有している。これらの係合構造は、ベース筐体とリアカバーが互いに摺動可能に係合可能なように構成される。あるいは、９２０で、ハンドル部分を形成し、複数の係合接合部によってベース筐体に結合させることもできる。９３０で、第４のトルクセル部分を有するモジュール式キーパッドを形成する。第４のトルクセル部分は、第２のトルクセル部分に配置された対合する係合構造に対応する複数の係合構造を有する。したがって、このモジュール式キーパッドは、ベース筐体に摺動可能に係合させることができ、その結果、ねじれ剛性構造が構成される。
【００２６】
図１０には、携帯移動端末筐体の組立て方法を示している。この組立て方法は、ベース筐体を提供する１０１０から始まる。ベース筐体は、プラスチック及び／又は金属など、適当などんな材料でも可能である。ベース筐体は、第１のトルクセル部分及び第２のトルクセル部分を備えている。１０２０で、ベース筐体に表示装置を結合させる。次いで、１０３０で、第３のトルクセル部分を有するリアカバー又はハンドル部分を表示装置上に設ける。第３のトルクセル部分にある係合構造を第１のセル部分にある係合構造に摺動可能に係合させてリアカバーをベース筐体に結合させる。１０４０で、ベース筐体にモジュール式キーパッドを結合させる。モジュール式キーパッドは、第２のトルクセル部分に配置された係合構造と摺動可能に係合する係合構造を含む第４のトルクセル部分を備え、それによってモジュール式キーパッドをベース筐体に結合させる。
【００２７】
本明細書に記載の本発明の堅牢な携帯移動端末は、広く応用できることを理解されたい。この構成は、例えば、多くの種類の商業用電子デバイス及び産業用電子デバイス（例えば、コンピュータ、個人用携帯情報端末（ＰＤＡ）、カメラ、コンピュータゲーム機など）に使用することができる。さらに、本発明の方法は、かかるデバイスに関連する堅牢な筐体を作製する際のプロセスと共に使用することができる。また、本発明の技術的範囲は、どんな携帯用電子デバイスをも含むものであることを理解されたい。
【００２８】
上述したことは、本発明の例示的な実施態様を含むものである。当然ながら、本発明を説明するために、構成部品又は方法の考えられる組合せをすべて記載することは不可能であるが、本発明の多数の他の組合せ及び置換えが可能であることが当業者には理解されよう。したがって、本発明は、添付の特許請求の範囲の趣旨及び範囲に含まれるかかる変更、修正及び変形をすべて包含するものである。
【図面の簡単な説明】
【００２９】
【図１】本発明のトルクセル構造を有する携帯移動端末筐体の一実施態様を示す断面図である。
【図２】本発明のトルクセル構造を有する携帯移動端末筐体の一実施態様を示す斜視図である。
【図３】本発明に係るモジュール式キーパッドの一実施態様を示す図である。
【図４】本発明に係るモジュール式キーパッドの一実施態様を示す図である。
【図５】本発明に係るモジュール式キーパッドの一実施態様を示す図である。
【図６】本発明に係るモジュール式キーパッドの一実施態様を示す図である。
【図７】図２に示した本発明の携帯移動端末筐体の一実施態様を示す側面斜視図である。
【図８】本発明のトルクセルを有する携帯移動端末筐体の他の実施態様を示す斜視図である。
【図９】本発明の携帯移動端末筐体の製造方法の一実施態様を示す図である。
【図１０】本発明の携帯移動端末筐体の組立て方法の一実施態様を示す図である。
【図１１】従来の携帯移動端末筐体を示す図である。
【図１】
2007504681.tif 000003
【図２】
2007504681.tif 000004
【図３】
2007504681.tif 000005
【図４】
2007504681.tif 000006
【図５】
2007504681.tif 000007
【図６】
2007504681.tif 000008
【図７】
2007504681.tif 000009
【図８】
2007504681.tif 000010
【図９】
2007504681.tif 000011
【図１０】
2007504681.tif 000012
【図１１】
2007504681.tif 000013
【国際調査報告】
2007504681.tif 000014
2007504681.tif 000015